(57)【要約】【課題】  仕切り板部の引き出し操作が容易であり、且つ製造コストが低い分煙ボードを提供する。【解決手段】  複数の遊技機が並列して配設された島設備の遊技機間に配置され、各遊技機を仕切ると共に、隣接する遊技機からの煙草の煙の流入を防止しうる分煙ボードであって、上記島設備の高さ方向に沿って固定しうる高さ方向フレーム部と、上記高さ方向フレーム部に固定され、遊技機前方へ突出して配置される固定板部と、上記固定板部に重ね合わせて配置されると共に上記固定板部に沿って遊技機前方へ前出しうるように上記固定板部の下端部に回動可能に固定された仕切り板部とを備えた構成とする。【選択図】  図１
2012011140.tif 000002
【特許請求の範囲】
【請求項１】
複数の遊技機が並列して配設された島設備の遊技機間に配置され、各遊技機を仕切ると共に、隣接する遊技機からの煙草の煙の流入を防止しうる分煙ボードであって、
上記島設備の高さ方向に沿って固定しうる高さ方向フレーム部と、上記高さ方向フレーム部に固定され、遊技機前方へ突出して配置される固定板部と、
上記固定板部に重ね合わせて配置されると共に上記固定板部に沿って遊技機前方へ前出しうるように上記固定板部の下端部に回動可能に固定された仕切り板部とを備えていることを特徴とする分煙ボード。
【請求項２】
上記高さ方向フレーム部の上端部には、上記固定板部の上端部が固定されると共に、上記仕切り板部が上記固定板部に重ね合わされた場合には、上記仕切り板部の上端部を収納しうる上部前後方向フレーム部が設けられていることを特徴とする請求項１記載の分煙ボード。
【請求項３】
上記上部前後方向フレーム部には、仕切り板部が遊技機前方へ前出した場合に所定位置で固定しうるストッパ部が設けられていることを特徴とする請求項２記載の分煙ボード。
【請求項４】
上記ストッパ部は、開口部と、上記開口部内に配置された係合片とにより構成され、上記仕切り板部の上端部に形成された係合部に上記係合片が係合することにより仕切り板部を固定することを特徴とする請求項３記載の分煙ボード。
【請求項５】
上記高さ方向フレーム部の下端部には、上記固定板部の下端部が固定され、上記仕切り板部の下端部を収納しうる下部前後方向フレーム部が設けられていることを特徴とする請求項２記載の分煙ボード。
【請求項６】
上記仕切り板部は、上部幅広部と下部幅狭部とを有することを特徴とする請求項１から請求項５いずれか１項に記載の分煙ボード。
【請求項７】
上記固定板部の下端部に設けられ、上記固定板部を厚さ方向に貫通する固定板孔部と、
上記下部前後方向フレーム部の前端部に設けられ、上記固定板孔部と連通しうる下部前後方向フレーム孔部と、
上記固定板孔部と上記下部前後方向フレーム孔部を貫通する回動軸部と、
上記仕切り板部の下端部に設けられ、上記回動軸部に着脱可能に係合しうる切り欠き部とを備え、
上記切り欠き部を上記回動軸部に係合させることにより、上記仕切り板部は上記回動軸部を回動中心として、上記固定板部に当接しながら前後方向に回動しうることを特徴とする請求項１記載の分煙ボード。
【請求項８】
上記高さ方向フレーム部の上端部及び下端部には、後方に突出する一対の固定用片部が設けられると共に、上記下部前後方向フレーム部の前端部には、下方に突出すると共に断面Ｌ字形に形成され、遊技台前方のテーブル部に嵌合しうるテーブル嵌合片部が形成され、
上記一対の固定用片部を遊技台のフレーム部に螺子止め固定すると共に、上記テーブル部嵌合片部を遊技機のテーブル部に嵌合させて、上記テーブル部に螺子止め固定することによって装着されることを特徴とする請求項１記載の分煙ボード。
【請求項９】
上記高さ方向フレーム部には、上端部から中央部に掛けて長孔が形成され、
上記仕切り板部を後方に回動させた場合に、上記仕切り板部は、上記長孔を介して遊技台間の間隙に収納されると共に、
上記長孔の下端縁部と上記仕切り板部の後端縁部が当接することによって、上記仕切り板部の後方への回動角度を制限することを特徴とする請求項１記載の分煙ボード。
【発明の詳細な説明】
【技術分野】
【０００１】
本発明は、パチンコ等の遊技機が並列して配設された島設備において、遊技機間に設置され、各遊技機を仕切ってプライバシーを確保すると共に、隣接遊技者からの煙草の煙が自分の遊技機エリアに流入することを防止する分煙ボードに関する。
【背景技術】
【０００２】
パチンコ等の遊技場においては、数台から十数台の遊技機が並列して配置され、一つの島設備を形成している。
隣接する遊技機との間隔は狭く、各遊技者は非常に接近した状態で遊技を行うため、隣の遊技者からの視線等によって遊技に集中できなくなるという不具合を有していた。
また、隣接遊技者が喫煙した場合、その煙が自分の遊技機エリアにも流入し、非常に不快であるという別途の不具合をも有していた。
【０００３】
上記不具合を解決するため、遊技機間に設置され、各遊技機を仕切ってプライバシーを確保すると共に、隣接遊技者からの煙草の煙が自分の遊技機エリアに流入することを防止する分煙ボードが提案されている（特許文献１、特許文献２）。
【０００４】
図３に示すように上記特許文献１に係る分煙ボード４０は、下端部４１ａを各遊技機４２間の前方の床面４３にボルト４４、４５で固定されると共に、上端部４１ｂを、上記遊技機４２の前方に配設されたテーブル部４６にボルト４７で固定された仕切り板部４８と、上記仕切り板部４８の上方に配設され、ガラス若しくはアクスル板等の合成樹脂板を使用した透明若しくは半透明の煙遮断板部４９とを備えている。
【０００５】
上記特許文献１に係る分煙ボード４０にあっては、仕切り板部４８を床面４３にボルト４７で固定する必要があるため、取り付け操作が大掛かりとなり、更に隣接する遊技機４２からの煙の流入を防止するためには、煙遮断板部４９の幅寸法を大きく確保する必要があり、大型化することから、煙遮断板部４９の装着、取り外し、持ち運び操作が非常に煩雑であるという不具合を有していた。
また、上記煙遮断板部４９は、折畳み、及び収納等ができないことから、遊技機４２が対向して配置されているような場合には、対向する遊技機４２から夫々上記煙遮断板部４９が常時前方に突出する形態となるため、通路を通る歩行者の邪魔となり易いという不具合をも有していた。
【０００６】
また、図４に示すように、不使用時においては、遊技機（図４には図示せず）の間に収納され、必要時に前方に引き出して使用しうる形態の分煙ボード７０が提案されている（特許文献２）。
図４（ａ）に示すように、上記特許文献２に係る分煙ボード７０は、スライド可能に重ね合わせて配置され、長方形の前板７２ａ、中板７２ｂ、及び後板７２ｃとからなる仕切り板部７２と、上記仕切り板部７２を収納する高さ方向フレーム部７３、上部前後方向フレーム部７４部、下部前後方向フレーム部７５、及び前側フレーム部７６とを備えている。
上記高さ方向フレーム部７３、上部前後方向フレーム部７４部及び下部前後方向フレーム部７５部は遊技機の間の間隙内（図示せず）に固定されている。
【０００７】
また、図４（ｂ）に示すように、前板７２ａの前端部には取手部７７が配設され、上記前板７２ａの後端部、上記中板７２ｂの前端部と後端部、及び後板７２ｂの前端部には、上記前板７２ａを引き出し操作の際、上記中板７２ｂと後板７２ｃが連動して引き出されるための係合段部７８ａ、７８ｂ、７８ｃ、７８ｄが形成されている。
【０００８】
上記取手部７７を把持して、前板７２ａを引き出すと、上記係合段部７８ａと７８ｂが係合して上記中板７２ｂが連動して引き出され、更に中板７２ｂが引き出されることによって、上記係合段部７８ｃと７８ｄが係合して上記後板７２ｃが連動して引き出される。
【０００９】
また、図４（ｂ）に示すように、上記前側フレーム部７６は、高さ方向略中央部において、前側上方フレーム部７６ａと、前側下方フレーム部７６ｂの２つに分割されており、上記前側上方フレーム部７６ａの基端部は上記上部前後方向フレーム部７４の前端部に前後方向に移動可能に固定されると共に、上記前側下方フレーム部７６ｂの基端部は、上記下部前後方向フレーム部７４の前端部に、前後方向に移動可能に固定されている。
また、図４（ｂ）に示すように、上記前側上方フレーム部７６ａと上記前側下方フレーム部７６ｂは、閉止状態となる方向に、付勢手段７９、８０によって付勢されている。
また、図４（ａ）に示すように、上記仕切り板部７２を引き出した場合には、上記前側上方フレーム部７６ａと上記前側下方フレーム部７６ｂが前方に拡開して、上記前側上方フレーム部７６ａは上記仕切り板部７２の上端部沿って配置されると共に、上記前側下方フレーム部７６ｂは上記仕切り板部７２の下端部沿って配置され、上記仕切り板部７２の前板部７２ａ、中板部７２ｂ、後板部７２ｃは上記前側上方フレーム部７６と上記前側下方フレーム部７６ｂが案内レールとなって前方に引き出される。
【００１０】
上記特許文献２における分煙ボードは、不使用時にコンパクトに収納できると共に、使用時には仕切り板部の前板、中板、後板を拡げることで、十分な防煙機能を発揮できる旨の利点を有している。
【００１１】
しかしながら、前板部７２ａ、中板部７２ｂ、後板部７２ｃ全体を引き出す必要があるため、引き出し操作に大きな力が必要であるという不具合を有していた。
また、引き出し操作時においては、前板部７２ａ、中板部７２ｂ、後板部７２ｃを案内すると共に、引き出し操作後には仕切り板部７２を支えるために、前側上方フレーム部７６ａと、上記前側下方フレーム部７６ｂが必要となり、部品点数が多く、製造コストが高くなるという不具合をも有していた。
【特許文献１】実登３１３６４３２号公報
【特許文献２】実登３１２３２４３号公報
【発明の開示】
【発明が解決しようとする課題】
【００１２】
本発明の解決する課題は、仕切り板部の引き出し操作が容易であり、且つ製造コストが低い分煙ボードを提供することにある。
【課題を解決するための手段】
【００１３】
上記課題を解決するために、請求項１に記載した発明に係る分煙ボードは、複数の遊技機が並列して配設された島設備の遊技機間に配置され、各遊技機を仕切ると共に、隣接する遊技機からの煙草の煙の流入を防止しうる分煙ボードであって、上記島設備の高さ方向に沿って固定しうる高さ方向フレーム部と、上記高さ方向フレーム部に固定され、遊技機前方へ突出して配置される固定板部と、上記固定板部に重ね合わせて配置されると共に上記固定板部に沿って遊技機前方へ前出しうるように上記固定板部の下端部に回動可能に固定された仕切り板部とを備えることを特徴とする。
【００１４】
従って、使用時には、上記仕切り板部の仕切り板部を前方に回動させることによって仕切り板部が前方に突出して配置され、不使用時においては、上記仕切り板部を上記固定板部と重ね合わせて配置して収納する。
【００１５】
また、請求項２に記載した発明に係る分煙ボードは、上記高さ方向フレーム部の上端部には、上記固定板部の上端部が固定されると共に、上記仕切り板部が上記固定板部に重ね合わされた場合には、上記仕切り板部の上端部を収納しうる上部前後方向フレーム部が設けられていることを特徴とする。
【００１６】
従って、不使用時においては、上記仕切り板部と上記固定板部の上端部は、上部前後方向フレーム部内に収納される。
【００１７】
また、請求項３に記載した発明に係る分煙ボードは、上記上部前後方向フレーム部には、仕切り板部が遊技機前方へ前出した場合に所定位置で固定しうるストッパ部が設けられていることを特徴とする。
【００１８】
従って、上記仕切り板部は、前出した場合に、上記上部前後方向フレーム部の所定位置に固定される。
【００１９】
また、請求項４に記載した発明に係る分煙ボードは、上記ストッパ部は、開口部と、上記開口部内に配置された係合片とにより構成され、上記仕切り板部の上端部に形成された係合部に上記係合片が係合することにより仕切り板部を固定することを特徴とする。
【００２０】
従って、上記仕切り板部の上端部の係合部と、上記ストッパ部の係合片との係合を解除することによって、上記仕切り板部を上記上部前後方向フレーム部から外すことができる。
【００２１】
また、請求項５に記載した発明に係る分煙ボードは、上記高さ方向フレーム部の下端部には、上記固定板部の下端部が固定され、上記仕切り板部の下端部を収納しうる下部前後方向フレーム部が設けられていることを特徴とする。
【００２２】
従って、上記固定板部と上記仕切り板部の下端部は上記下部前後方向フレーム部内に収納される。
【００２３】
また、請求項６に記載した発明に係る分煙ボードは、上記仕切り板部は、上部幅広部と下部幅狭部とを有することを特徴とする。
【００２４】
従って、上記仕切り板部の重心が上部幅広部にあるため、上記仕切り板部の前後方向への回動操作が行い易くなる。
【００２５】
また、請求項７に記載した発明に係る分煙ボードは、上記固定板部の下端部に設けられ、上記固定板部を厚さ方向に貫通する固定板孔部と、上記下部前後方向フレーム部の前端部に設けられ、上記固定板孔部と連通しうる下部前後方向フレーム孔部と、上記固定板孔部と上記下部前後方向フレーム孔部を貫通する回動軸部と、上記仕切り板部の下端部に設けられ、上記回動軸部に着脱可能に係合しうる切り欠き部とを備え、上記切り欠き部を上記回動軸部に係合させることにより、上記仕切り板部は上記回動軸部を回動中心として、上記固定板部に当接しながら前後方向に回動しうることを特徴とする。
【００２６】
従って、上記仕切り板部を上記上部前後方向フレーム部から取り外した状態で、上方に引き上げると、上記回動軸部と上記切り欠き部との係合が解除され、上記仕切り板部を取り外すことができる。
【００２７】
また、請求項８に記載した発明に係る分煙ボードは、上記高さ方向フレーム部の上端部及び下端部には、後方に突出する一対の固定用片部が設けられると共に、上記下部前後方向フレーム部の前端部には、下方に突出すると共に断面Ｌ字形に形成され、遊技台前方のテーブル部に嵌合しうるテーブル嵌合片部が形成され、上記一対の固定用片部を遊技台のフレーム部に螺子止め固定すると共に、上記テーブル部嵌合片部を遊技機のテーブル部に嵌合させて、上記テーブル部に螺子止め固定することによって装着されることを特徴とする。
【００２８】
従って、本発明に係る分煙ボードは、上記一対の固定用片部及び、上記テーブル部嵌合片部を螺子止めすることによって、遊技機間に取り付けることができる。
【００２９】
また、請求項９に記載した発明に係る分煙ボードは、上記高さ方向フレーム部には、上端部から中央部に掛けて長孔が形成され、上記仕切り板部を後方に回動させた場合に、上記仕切り板部は、上記長孔を介して遊技台間の間隙に収納されると共に、上記長孔の下端縁部と上記仕切り板部の後端縁部が当接することによって、上記仕切り板部の後方への回動角度を制限することを特徴とする。
【００３０】
従って、上記仕切り板部を後方に回動させた場合であっても、所定の回動角度で上記長孔の下端部に係止され、上記仕切り板部が遊技機間の間隙に落下してしまうことが無い。
【発明の効果】
【００３１】
請求項１の発明にあっては、島設備の高さ方向に沿って固定しうる高さ方向フレーム部と、上記高さ方向フレーム部に固定され、遊技機前方へ突出して配置される固定板部と、上記固定板部に重ね合わせて配置されると共に上記固定板部に沿って遊技機前方へ前出しうるように上記固定板部の下端部に回動可能に固定された仕切り板部とを備えていることから、引き出し操作に案内レールを用いる従来の仕切り板部と異なり、仕切り板部を前方に回動させるだけで、仕切り板部を固定板部に沿わせて引き出し、容易且つ迅速に大きな幅寸法を有する分煙ボードを形成することができる。
また、上記特許文献２に係る分煙ボードにおいて必須であった、案内レールの役割を有するフレーム部分は不要であり、非常に少ない部品点数で製造することができる。
従って、仕切り板部の引き出し操作が容易であり、且つ製造コストが低い分煙ボードを提供することができる。
【００３２】
また、請求項２の発明にあっては、上記高さ方向フレーム部の上端部には、上記固定板部の上端部が固定されると共に、上記仕切り板部が上記固定板部に重ね合わされた場合には、上記仕切り板部の上端部を収納しうる上部前後方向フレーム部が設けられていることから、上記仕切り板部が、固定板部に重ね合わされてコンパクトに収納することができ、遊技者の移動の邪魔になることがなく、また収納状態における外観品質が高い。
【００３３】
また、請求項３の発明にあっては、上記前後方向フレーム部には、仕切り板部が遊技機前方へ前出した場合に所定位置で固定しうるストッパ部が設けられていることから、上記仕切り板部を固定するために別途螺子止め等の部品が不要であり、構造が単純で製造コストを低減可能な分煙ボードを提供することができる。
【００３４】
また、請求項４の発明にあっては、上記ストッパ部は、開口部と、上記開口部内に配置された係合片とにより構成され、上記仕切り板部の上端部に形成された係合部に上記係合片が係合することにより仕切り板部を固定することから、上記仕切り板部の上端部の係合部と、上記ストッパ部の係合片との係合を解除することによって、上記仕切り板部を上記上部前後方向フレーム部から外すことができるため、上記仕切り板部を、上部前後方向フレーム部から取り外して、清掃することが可能であり、より清潔な状態に保持可能な分煙ボードを提供することができる。
【００３５】
また、請求項７の発明にあっては、上記固定板部の下端部に設けられ、上記固定板部を厚さ方向に貫通する固定板孔部と、上記下部前後方向フレーム部の前端部に設けられ、上記固定板孔部と連通しうる下部前後方向フレーム孔部と、上記固定板孔部と上記下部前後方向フレーム孔部を貫通する回動軸部と、上記仕切り板部の下端部に設けられ、上記回動軸部に着脱可能に係合しうる切り欠き部とを備え、上記切り欠き部を上記回動軸部に係合させることにより、上記仕切り板部は上記回動軸部を回動中心として、上記固定板部に当接しながら前後方向に回動しうることから、上記仕切り板部を上記上部前後方向フレーム部から取り外した状態で、上方に引き上げると、上記回動軸部と上記切り欠き部との係合が解除され、上記仕切り板部を取り外すことができる。
従って、上記仕切り板部と上記固定板部の清掃が更に行い易くなる。
【００３６】
また、請求項５の発明にあっては、上記高さ方向フレーム部の下端部には、上記固定板部の下端部が固定され、上記仕切り板部の下端部を収納しうる下部前後方向フレーム部が設けられていることから、上記下部前後方向フレーム部によって、上記固定板部と仕切り板部の下端部が保護されると共に、収納状態における外観品質が高い。
【００３７】
また、請求項６に記載した発明に係る分煙ボードは、上記仕切り板部は、上部幅広部と下部幅狭部とを有するため、上記仕切り板部は上部の方が重く、重心位置も上部側となることから、従って、上記仕切り板部の上部側を把持して回動させる場合の操作を、より行い易くなる。
【００３８】
また、請求項８に記載した発明に係る分煙ボードは、上記高さ方向フレーム部の上端部及び下端部には、後方に突出する一対の固定用片部が設けられると共に、上記下部前後方向フレーム部の前端部には、下方に突出すると共に断面Ｌ字形に形成され、遊技台前方のテーブル部に嵌合しうるテーブル嵌合片部が形成され、上記一対の固定用片部を遊技台のフレーム部に螺子止め固定すると共に、上記テーブル部嵌合片部を遊技機のテーブル部に嵌合させて、上記テーブル部に螺子止め固定することによって装着されることから、遊技機間への取り付け操作が極めて容易であり、作業工数が少なくなる。
【００３９】
また、請求項９に記載した発明に係る分煙ボードは、上記高さ方向フレーム部には、上端部から中央部に掛けて長孔が形成され、上記仕切り板部を後方に回動させた場合に、上記仕切り板部は、上記長孔を介して遊技台間の間隙に収納されると共に、上記長孔の下端縁部と上記仕切り板部の後端縁部が当接することによって、上記仕切り板部の後方への回動角度を制限することから、簡易な構造によって上記仕切り板部の可動域を制限することができる。
【図面の簡単な説明】
【００４０】
【図１】本発明の一実施の形態を示し、（ａ）−１は、仕切り板部を後方側に回動させて収納した状態を示す斜視図、（ａ）−２は、（ａ）−１の状態における回動軸部の拡大斜視図、（ｂ）−１は、仕切り板部を前方に回動させて、仕切り板部を前出した状態を示す斜視図、（ｂ）−２は、（ｂ）−１の状態における回動軸部の拡大斜視図、（ｂ）−３は、（ｂ）−１の状態における、仕切り板部の上端部の係合部とストッパ部の係合片との係合状態を示す斜視図である。
【図２】本発明の一実施の形態を示し、（ａ）−１は、仕切り板部の上端部の係合部とストッパ部の係合片とが係合した状態を示す斜視図、（ａ）−２は、仕切り板部の上端部の係合部と上部前後方向フレーム部の係合片の係合を解除した状態を示す斜視図、（ｂ）は（ａ）−２の状態から、仕切り板部を上部前後方向フレーム部から引抜いた状態を示す全体斜視図、（ｃ）は、仕切り板部の切り欠き部と回動軸部との係合を解除した状態を示す拡大斜視図である。
【図３】従来の分煙ボードを示す側面図である。
【図４】別の従来の分煙ボードを示し（ａ）は仕切り板部を拡げた状態、（ｂ）は仕切り板部を収納した状態を示す側面図である。
【発明を実施するための最良の形態】
【００４１】
本発明を実施するための形態について、添付図面を用いて以下説明する。
図１（ａ）−１、（ａ）−２、（ｂ）−１、（ｂ）−２に示すように、本実施例に係る分煙ボード１０は、複数の遊技機１１が並列して配設された島設備１２の遊技機１１間に配置され、上記島設備１２の高さ方向に沿って固定しうる高さ方向フレーム部１５と、上記高さ方向フレーム部１５に固定され、遊技機１１の前方へ突出して配置される固定板部１３と、上記固定板部１３に重ね合わせて配置されると共に上記固定板部１３に沿って遊技機１１前方へ前出しうるように上記固定板部１３の下端部に回動可能に固定された仕切り板部１４とを備えている。
【００４２】
また、上記高さ方向フレーム部１５の上端部には、上記固定板部１４の上端部が固定されると共に、上記仕切り板部１４が上記固定板部１３に重ね合わされた場合には、上記仕切り板部１４の上端部を収納しうる上部前後方向フレーム部１６が設けられている。
【００４３】
また、上記上部前後方向フレーム部１６には、仕切り板部１４が遊技機１１の前方へ前出した場合に所定位置で固定しうるストッパ部１７が設けられ、図１（ｂ）−３に示すように、上記ストッパ部１７は、開口部１８と、上記開口部１８内に配置された係合片１９とにより構成されている。
【００４４】
また、図１（ａ）−１、（ａ）−２、（ｂ）−１、（ｂ）−２に示すように、上記高さ方向フレーム部１５の下端部には、上記固定板部１３の下端部が固定され、上記仕切り板部１４の下端部を収納しうる下部前後方向フレーム部２０が設けられている。
【００４５】
また、上記仕切り板部１４は、上部幅広部１４ａと下部幅狭部１４ｂとを有している。
【００４６】
また、上記固定板部１３の下端部に設けられ、上記固定板部１３を厚さ方向に貫通する固定板孔部２１と、上記下部前後方向フレーム部２０の前端部に設けられ、上記固定板孔部２１と連通しうる下部前後方向フレーム孔部２２と、上記固定板孔部２１と上記下部前後方向フレーム孔部２２を貫通する回動軸部２３と、上記仕切り板部１４の下端部に設けられ、上記回動軸部２３に着脱可能に係合しうる切り欠き部２４とを備えている。
【００４７】
また、上記高さ方向フレーム部１５の上端部及び下端部には、後方に突出する一対の固定用片部２５、２６が設けられると共に、上記下部前後方向フレーム部２０の前端部には、下方に突出すると共に断面Ｌ字形に形成され、遊技台１１前方のテーブル部２７に嵌合しうるテーブル嵌合片部２８が形成されている。
また、上記高さ方向フレーム部１５には、上端部から中央部に掛けて長孔２９が形成されている。
【実施例１】
【００４８】
以下、添付図面を用いて、本実施例について詳述する。
図１（ａ）−１に示すように、固定板部１３と仕切り板部１４は夫々５ｍｍ程度の厚さ寸法を有する合成樹脂から形成され、上記固定板部１３は略長方形に形成されると共に、仕切り板部１４の前方側端部には、上記仕切り板部１４を収納した場合に、上記固定板部１３の前方側面部から前方に突出し、上記仕切り板部１４を前方に引き出す場合に把持しうる突出部３０が形成されている。
【００４９】
また、図１（ａ）−２に示すように、上記仕切り板部１４の下端部の切り欠き部２４は、前方側に傾斜する略Ｕ字形に形成されている。
【００５０】
また、図１（ａ）−１に示すように、上部前後方向フレーム部１６と下部前後方向フレーム部２０は夫々断面略コ字形に形成され、上記固定板部１３と上記仕切り板部１４は、上記上部前後方向フレーム部１６の側板部１６ａ、１６ａと、下部前後方向フレーム部２０の側板部２０ａ、２０ａに挟まれて収納される。
【００５１】
また、上記仕切り板部１４の上端部は、上記仕切り板部１４を回動させた場合に、上記上部前後方向フレーム部１６の底面部１６ｂの内側に当接しながら前後方向に摺動する。
【００５２】
また、図１（ｂ）−３に示すように、上記ストッパ部１７は、上記上部前後方向フレーム部１６の底面部１６ｂの前端部形成された開口部１８と、上記開口部１８内に配置された係合片１９とからなる。
【００５３】
また、上記係合片１９は、略Ｖ字形に形成され、一端部は上記上部前後方向フレーム部１６の底面部１６ｂに固定されている。Ｖ字形に折り曲げられた中央部は、上記開口部１８から下方に突出して配設されている。
【００５４】
また、上記高さ方向フレーム部１５の上端部及び下端部に設けられた固定用片部２５、２６は、長方形の板状に形成され、上記固定用片部２５、２６の表面には夫々４箇所に螺子止め用孔部３１、３２が形成されている。
また上記下部前後方向フレーム部２０の前端部に形成されたＬ字形のテーブル嵌合片部２８の先端部には、遊技機１１のテーブル部２７に螺子止め固定するための螺子止め用孔部３３が形成されている。
【００５５】
本実施例に係る分煙ボード１０を遊技機１１に装着する場合は、上記高さ方向フレーム部１５を遊技機１１の間に差し込み、固定用片部２５と遊技機１１の上端フレーム部３４、及び固定用片部２６と遊技機１１の下端フレーム部３５とを夫々螺子止め用孔部３１、３２を介して螺子止め固定し、更に、テーブル嵌合片部２８を遊技機１１下端部から前方に突出するテーブル部２７に嵌合させ、螺子止め用孔部３３を介して螺子止め固定する。
従って、取り付け作業には大掛かりな工事は不要であり、極めて簡易に取り付けることが可能である。
【００５６】
本実施例の作用について図面を用いて説明する。
図１（ａ）−１、及び（ａ）−２は、上記仕切り板部１４が収納された状態を示している。
図１（ａ）−１及び（ａ）−２に示すように、上記仕切り板部１４を収納した場合、上記仕切り板部１４の後端部の一部は上記高さ方向フレーム部１５の長孔２９を介して遊技機１１の間の間隙３６の内部に突出して配置される。
この際、上記長孔２９の下端部と、上記仕切り板部１４の後端部が当接し、上記仕切り板部１４が所定角度以上に後方に倒れ込むことを阻止している。
【００５７】
図１（ｂ）−１、（ｂ）−２及び（ｂ）−３に示すように、上記仕切り板部１４を前方に引き出す場合には、上記仕切り板部１４の前端部に形成された突出部３０を手で把持し、回動軸部２３を回動中心として上記仕切り板部１４を前方に回動する。
【００５８】
上記操作によって、上記仕切り板部１４の回動角度に所定の角度となった場合に、図１（ｂ）−３に示すように、上記仕切り板部１４の上端部に形成された係合部３７と、上記係合片１９が係合することによって、上記仕切り板部１４の前方への回動が阻止される。
【００５９】
この際、上記仕切り板部１４が上部幅広部１４ａと下部幅狭部１４ｂを有するため、前方に引き出した際に、上部幅広部１４ａの重みによって、上記仕切り板部が自然に前方に倒れてくるため、非常に小さな力で上記仕切り板部１４を回動させることができる。
【００６０】
また、図２（ａ）−１、（ａ）−２に示すように、上記仕切り板部１４の上端部に形成された係合部３７と、上記上部前後方向フレーム部１６に形成された係合片１９が係合した状態から、上記係合片１９の他端部を把持して、図中矢印Ｃの方向に引き上げることによって、上記係合片１９と上記係合部３７との係合が解除され、更に上記仕切り板部１４を図中矢印Ｄの方向に引き抜くことによって、図２（ａ）−２に示すように、上記仕切り板部１４を上記上部前後方向フレーム部１６から取り外すことができる。
【００６１】
また、図２（ｂ）に示すように、上記仕切り板部１４を上記上部前後方向フレーム部１６から取り外した状態において、上記仕切り板部１４を上方に引き上げることによって、上記仕切り板部１４の下端部の切り欠き部２４と、上記回動軸部２３との係合が解除され、上記仕切り板部１４を完全に取り外すことができる。
従って、上記固定板部１３と仕切り板部１４との間にゴミ等が挟まった場合であっても、簡易に清掃することができるため、分煙ボード１０を常に清浄な状態に保持することができる。
【００６２】
本実施例にあっては、金属製部品は、上記高さ方向フレーム部１５、上部前後方向フレーム部１６、下部前後方向フレーム部２０、固定用片部２５、２６及びテーブル嵌合片部２８のみであり、従来と比較して高価な金属製部品の点数が少ないため、製造コストを削減することが可能である。
【００６３】
なお、固定板部、仕切り板部の全体形状、大きさ寸法については、設置する遊技機の種類、及び遊技機間の間隔寸法等に応じて適宜変更した場合であっても、
本実施例と同様の作用効果を得ることが可能である。
また、固定板部、仕切り板部の材質についても、合成樹脂製のみではなく、所定の強度と耐久性が確保できれば、木製、ガラス製等であっても良い。
【産業上の利用可能性】
【００６４】
本発明は、パチンコ台等の遊技機に着脱可能に装着される分煙ボードに適用可能である。
【符号の説明】
【００６５】
１０  分煙ボード
１１  遊技機
１２  島設備
１３  固定板部
１４  仕切り板部
１５  高さ方向フレーム部
１６  上部前後方向フレーム部
１６ａ上部前後方向フレーム部の側面部
１６ｂ上部前後方向フレーム部の底面部
１７  ストッパ部
１８  開口部
１９  係合部片
２０  下部前後方向フレーム部
２０ａ下部前後方向フレーム部の側面部
２０ｂ下部前後方向フレーム部の底面部
２１  固定板孔部
２２  下部前後方向フレーム孔部
２３  回動軸部
２４  切り欠き部
２５  固定用片部
２６  固定用片部
２７  遊技機のテーブル部
２８  テーブル嵌合片部
２９  長孔
３０  仕切り板部の突出部
３１  螺子止め用孔部
３２  螺子止め用孔部
３３  螺子止め用孔部
３４  遊技機の上端フレーム部
３５  遊技機の下端フレーム部
３６  遊技機間の間隙
３７  仕切り板部の係合部
４０  分煙ボード
４１ａ仕切り板部の下端部
４１ｂ仕切り板部の上端部
４２  遊技機
４３  床面
４４  ボルト
４５  ボルト
４６  遊技機のテーブル部
４７  ボルト
４８  仕切り板部
４９  煙遮断板部
７０  分煙ボード
７２  仕切り板部
７２ａ前板部
７２ｂ中板部
７２ｃ後板部
７３  高さ方向フレーム部
７４  上部前後方向フレーム部
７５  下部前後方向フレーム部
７６  前側フレーム部
７６ａ前側上方フレーム部
７６ｂ前側下方フレーム部
７７  取手部
７８ａ係合段部
７８ｂ係合段部
７８ｃ係合段部
７８ｄ係合段部
７９  付勢手段
８０  付勢手段
【図１】
2012011140.tif 000003
【図２】
2012011140.tif 000004
【図３】
2012011140.tif 000005
【図４】
2012011140.tif 000006